(57)【要約】    【課題】  本発明は、上記折畳みベッドをベッド状態へ、あるいは収納状態へ変換操作する際、ベッドを構成する枠部材と脚体との間に指等の人体部位が挟み込まれることを未然に防止するとともに、たとえ、人体部位が挟み込まれても損傷することがないため、変換操作を安全に遂行できる折畳みベッドの提供を目的とする。    【解決手段】  長手方向の中間部で逆Ｖ字形に折畳み可能とすべく、上記中間部を隔てた前後両側に、載上部を構成する枠部材１２、１３を回動可能に連結し、上記枠部材１２、１３に対して回動しながら下方向を維持して全体を支持する脚体１７を上記枠部材１２、１３に枢着した折畳みベッド１０における、上記枠部材１３と上記脚体１７との間に人体部位が挟み込まれることを防止する人体部位挟入防止部材１１、７１、７２、７３、７４。  【選択図】    図２
2005080767.tif 000002
【特許請求の範囲】
【請求項１】
長手方向の中間部で逆Ｖ字形に折畳み可能とすべく、上記中間部を隔てた前後両側に、載上部を構成する枠部材を回動可能に連結し、上記枠部材に対して回動しながら下方向を維持して全体を支持する脚体を上記枠部材に枢着した折畳みベッドにおける、上記枠部材と上記脚体との間に人体部位が挟み込まれることを防止する
人体部位挟入防止部材。
【請求項２】
前記人体部位が挟み込まれたときの負荷を緩和すべく、外周形状における上記人体部位への接触側の端部形状を湾曲形状に形成した
請求項１に記載の人体部位挟入防止部材。
【請求項３】
強度を向上すべく、少なくとも１つのリブを形成した
請求項１、又は、２に記載の人体部位挟入防止部材。
【請求項４】
長手方向の中間部で逆Ｖ字形に折畳み可能とすべく、上記中間部を隔てた前後両側に、載上部を構成する枠部材を回動可能に連結し、上記枠部材に対して回動しながら下方向を維持して全体を支持する脚体を、上記枠部材に枢着した折畳みベッドであって、
上記枠部材と上記脚体との間に人体部位の挟み込みを防止する人体部位挟入防止部材を、上記枠部材に固定手段で固定した
折畳みベッド。
【請求項５】
前記人体部位が挟み込まれたときの負荷を緩和すべく、前記人体部位挟入防止部材の外周形状における上記人体部位への接触側の端部形状を、湾曲形状に形成した
請求項４に記載の折畳みベッド。
【請求項６】
強度を向上すべく、前記人体部位挟入防止部材を、少なくとも１つのリブを備えて形成した
請求項４、又は、５に記載の折畳みベッド。
【発明の詳細な説明】
【技術分野】
【０００１】
この発明は、折畳みベッドの機能を向上させる技術に関し、特にベッドの変換操作における安全性を向上させる機能を備えたベッドに関する。  
【背景技術】
【０００２】
折畳みベッドは、不使用時に折り畳んだ状態で収納することができ、利便性に優れていることから、最近、様々なタイプのものが普及している。  
中でも、２つの枠部材を長手方向に中央部で連結し、ベッドの外周部の枠組みを構成するとともに、上記各枠部材（マットフレーム）を逆V字形に折畳み可能に構成したベッドが普及している。
【０００３】
このような上記折畳みベッドは、例えば、先行技術１（特許文献１参照）に示すごとく脚体を、該枠部材に対して回動可能に枢着し、ベッドの長手方向にバネを張架して、該バネの付勢力を利用して折畳み操作を行うタイプが存在する。  
このような構成を採る折畳みベッドの折畳み操作における各過程における折畳み形態の変化について説明を行う。  
まず、利用者は、ハンドル（把手）等が取り付けられていないような先行技術１に示すベッド場合、枠部材を把持し、少し持ち上げる。すると、上記折畳みベッドの中央部をある程度屈曲すれば、ばねの付勢力も作用するため、受動的に除々に枠部材が起立し、最終的に、折畳みベッドをコンパクトに折り畳むことができる。
【０００４】
上述したベッド状態から折畳み状態への変換操作において、利用者が無意識に枠部材における脚体の近傍部位を把持して行った場合、図８（ａ）に示すごとく、枠部材８２が不用意に回転して、枠部材８２と脚体８４との間に、枠部材８２を把持している指９０が挟入してしまうという事態が発生する。
【０００５】
一方、折畳み状態からベッド状態への変換操作においても同様に、図８（ｂ）に示すごとく枠部材８２と脚体８４との間に、指９０が挟入し、いずれの変換操作においても、ひどい場合には利用者の人体部位が負傷しまうという事態が発生する。
【０００６】
仮に、折畳みベッドにハンドル（把手）等の把持する部材が取り付けられている場合であっても、中には、利用者が誤った折畳み操作をする場合や、必ずしも上記ハンドルを用いてベッドの変換操作を行うとは限らないため、安全対応を検討する必要があった。
【０００７】
【特許文献１】特開２００１−１７２７２号公報。
【発明の開示】
【発明が解決しようとする課題】
【０００８】
そこで、本発明は、上記折畳みベッドをベッド状態へ、あるいは折畳み状態へ変換操作する際、ベッドを構成する枠部材と脚体との間に指等の人体部位が挟み込まれることを未然に防止するとともに、たとえ、人体部位が挟み込まれても損傷することがないため、変換操作を安全に遂行できる折畳みベッドの提供を目的とする。
【課題を解決するための手段】
【０００９】
本発明は、長手方向の中間部で逆Ｖ字形に折畳み可能とすべく、上記中間部を隔てた前後両側に、載上部を構成する枠部材を回動可能に連結し、上記枠部材に対して回動しながら下方向を維持して全体を支持する脚体を上記枠部材に枢着した折畳みベッドにおける、上記枠部材と上記脚体との間に人体部位が挟み込まれることを防止する人体部位挟入防止部材であることを特徴とする。
【００１０】
上記人体部位挟入防止部材の材質は、例えばポリプロピレン、ポリエチレン等の３種類のポリマー重合体、ステンレス、アルミ等の金属、木材、厚紙、ゴム等の弾性部材、または、これらの材料を結合させて形成したものでもよい。  
中でも、ＡＢＳ樹脂（アクリロニトル、ブタジエン、スチレンの単量体からなる共重合体）は、強度、加工性、価格の面で優れているので特に好ましい。
【００１１】
また、上記人体部位挟入防止部材の形状は、立方体等の部材、板状体（ブレード状）、断面視Ｌ形の部材等のいずれの形状であってもよい。
【００１２】
また、上記人体部位挟入防止部材には、必要に応じてリブを形成し、強度を向上しても構わない。
【００１３】
さらに、上記人体部位挟入防止部材の上記枠部材への取り付けは、固定手段を用いて取り付けることができるが、上記固定手段は、テープ、接着剤、紐部材、嵌合部材への嵌合、マグネット、面ファスナ、熱による溶着等いずれの手段であってもよい。  
特に、ビスによる螺合で行えば、上記人体部位挟入防止部材を枠部材に対して離間可能に取り付けることができ、しかも、強固に固定することができる。
【００１４】
また、上記枠部材におけるベッドの変換操作後に脚体と重合してしまう部位に、上記人体部位挟入防止部材を取り付ければ、利用者が該部位を把持することを防止でき、効果的である。
【００１５】
すなわち、枠部材と脚体との間隙に指等の人体部位が挟み込まれることを未然に防ぐことができるとともに、利用者は、枠部材における別の部位を把持して安全に変換操作を行うことができる。  
また、枠部材が脚体に対して回転運動している際に、万一、枠部材と脚体との間隙に人体部位を差し込んでしまった場合であっても、上記人体部位挟入防止部材における上記端部形状を湾曲形状に形成すれば、該湾曲形状の端部に指が接触しても、押し付け力は小さく、しかも人体部位に作用する力は、人体部位を押し出す方向に作用する。よって、利用者は、指を抜き出し易く、痛みを緩和することができる。
【発明の効果】
【００１６】
この発明によれば、上記起伏ベッドの変換操作の際、人体部位が挟み込まれないため、安全である。
【００１７】
また、上記人体部位挟入防止部材の外周形状における上記人体部位への接触側の端部形状を湾曲形状に形成すれば、万一、上記人体部位が挟み込まれたときの負荷を緩和することができ、負傷することがない。
【００１８】
また、利用者が不用意に枠部材と脚体との間に人体部位を差し込もうとした際に、該人体部位が人体部位挟入防止部材に衝突した場合であっても、上記人体部位挟入防止部材にリブを形成することで、強度が向上しているため、破損せずに、確実に人体部位の挟入を防止することができる。
【００１９】
また、既存の折畳みベッドであっても、人体部位挟入防止部材を購入した購入者が、既存の折畳みベッドに該人体部位挟入防止部材を取り付けるだけで、容易に安全性を向上させることができる。
【発明を実施するための最良の形態】
【００２０】
この発明の一実施形態を、以下図面を用いて説明する。  
図１に示すベッドは、本発明の指詰め防止ブレード１１を取り付けた状態の折畳みベッド１０のフレーム構造を示す。  
まず、上記折畳みベッド１０は、平面視コの字形をした上半身フレーム１２と、該上半身フレーム１２と略同形の下半身フレーム１３とのそれぞれを、平面視コの字形の開口端部が対向する形態で、ブラケット１４を介して逆V字形に折畳み可能に枢着している。
【００２１】
上記上半身フレーム１２については、頭部側端部１５における幅方向の中央部には、コの字形の頭部側支持脚１６を立設した状態で熱溶着している。上記頭部側支持脚１６は、該コの字形の開口端に位置する部位にキャスタ１６ａを有して、ベッド状態のときに該キャスタ１６ａで地面に接地している。
【００２２】
また、頭部側支持脚１６を折畳みベッド１０に取り付けたとき、頭部側支持脚１６における上半身フレーム１２よりも上方の部位は、枕の落下を防止することができるよう柵状に形成している（図示せず）。  
さらに、該頭部側支持脚１６の上端部の中央部には、キャスタ１６ｂが該折畳みベッド１０の前方側に突き出して形成している。
【００２３】
また、下半身フレーム１３については、足部側（後側）の幅方向の左右両側部には、側面視逆Ｔ字形をして、下部の前後方向に２つのキャスタ１７ａを有した足部側支持脚１７を枢着している。  
ここで、下半身フレーム１３と足部側支持脚１７との幅方向の間には、後述詳説する指詰め防止ブレード１１を介在させて枢着している。
【００２４】
また、上記上半身フレーム１２と上記下半身フレーム１３とを枢着した折畳みベッド１０の左右両側に位置する各ブラケット１４の下部には、中間部において幅方向に地面に対して水平に這わせた円筒状の両側から上方に湾曲変形させた中間支持脚１８の上端部を熱溶着している。
【００２５】
さらに、折り畳み動作を円滑に行うための付勢バネ１９を上半身フレーム１２の頭部側端部１５と上記中間支持脚１８とに、及び、下半身フレーム１３の足部側端部と上記中間支持脚１８とに、幅方向の中央部に係止して側面視V字状に張架している。  
ここで、図２を用いて、上記足部側支持脚１７の構成、及び、上記下半身フレーム１３における上記足部側支持脚１７の周辺構成について説明する。  
まず、上記足部側支持脚１７は、上下方向に伸びる支柱部１７ｂと、キャスタ１７ａを枢着した前後方向に伸びる脚部１７ｃとから構成する。上記支柱部１７ｂの上部における上下方向の中心を隔てて幅方向の後側（足部側）には、上述したとおり、足部側支持脚１７と下半身フレーム１３との枢着部２１を形成している。
【００２６】
また、上記足部側支持脚１７における支柱部１７ｂの幅方向の中央部を隔てた前側（頭部側）には、上記脚部側支持脚１７の側(以下、脚部側という)のベッド用位置決め孔２２を横貫している。  
なお、該脚部側のベッド用位置決め孔２２は、ベッド状態に維持するための位置決め孔として用いる。
【００２７】
さらに、下半身フレーム１３における、上記脚部側のベッド用位置決め孔２２との対向部位にもフレーム側のベッド用位置決め孔２３を横貫している。
【００２８】
同様に、上記支柱部１７ｂの高さ方向の中央部における上記枢着部２１の下方に位置する部位にも上記脚部側のベッド用位置決め孔２２と同径の脚部側の折畳み用位置決め孔２４を横貫している。
【００２９】
さらに、支柱部１７ｂに対して、下半身フレーム１３における後側（足部側）であって、枢着部２１から、該枢着部２１と上記脚部側の折畳み用位置決め孔２４との間の距離を隔てた位置に、上記フレーム側のベッド用位置決め孔２３と同様にフレーム側の折畳み用位置決め孔２５を横貫している。
【００３０】
また、上記枢着部２１には、金属片２６の端部を友締めしている。上記金属片２６の他方の端部には、鎖状部材２７を介して位置決め棒２８が係止している。上記位置決め棒２８を、上記脚部側のベッド用位置決め孔２２、及び、上記フレーム側のベッド用位置決め孔２３に挿通すれば、枢着部２１と合わせて２部位で、足部側支持脚１７と下半身フレーム１３とを鎖錠することができる。
【００３１】
また、上記構成を採る折畳みベッド１０は、螺合によって、上記指詰め防止ブレード１１を下半身フレーム１３に取り付けているが、変換操作の際、ねじ２９の頭が足部側支持脚１７に干渉してしまう場合は、通常のねじよりも頭部が突き出していない、例えばすりわり突き小ねじ等のねじ２９を用いるとよい。  
以下、図３を用いて指詰め防止ブレード１１の構成について、説明を行う。  
上記指詰め防止ブレード１１は、透明なアクリル板で板厚が２ｍｍの板状に形成している。  
ここで、板状に形成した上記指詰め防止ブレード１１における幅方向の一方の半分の部位を、人体部位遮断部１１ａに、片方の半分の部位を取付け部１１ｂとして区分けする。
【００３２】
上記指詰め防止ブレード１１の外形形状は、上記人体部位遮断部１１ａにおける弓状に緩やかに湾曲した湾曲形状に形成している。  
なお、上記指詰め防止ブレード１１の外周部の角部には全て、円弧状にＲ加工を施し、角部が存在しないような形状としている。
【００３３】
また、上記取付け部１１ｂにおける長手方向の中央部には、上記枢着部２１の枢着軸に貫通する貫通孔３１を穿孔している。上記貫通孔３１から一方の側には、上記脚部側のベッド用位置決め孔２２、あるいは上記フレーム側のベッド用位置決め孔２３とが、上記枢着部２１との距離を隔てた部位にベッド用貫通孔３２を穿孔している。
【００３４】
さらに、上記貫通孔３１を隔ててベッド用貫通孔３２とは他方の側に、上記脚部側の折り畳み用位置決め孔２４、及び上記フレーム側の折り畳み用位置決め孔２５とのそれぞれが、上記枢着部２１との距離を隔てた部位に折り畳み用貫通孔３３を穿孔している。
【００３５】
加えて、上記指詰め防止ブレード１１の長手方向における上記ベッド用貫通孔３２、及び、上記折り畳み用貫通孔３３よりもさらに外側には、上記ねじ２９を挿通するための取付け孔３４を穿孔している。  
なお、上記貫通孔３１、ベッド用貫通孔３２、折り畳み用貫通孔３３、及び、上記取付け孔３４は、取付け部１１ｂの端部１１ｃの直線形状と平行に、且つ、同一軸線上に各孔が位置するように穿孔している。
【００３６】
次に、上記折畳みベッド１０を利用者が折畳み操作を行う一連の動作について説明を行う。  
まず、上記指詰め防止ブレード１１によって、下半身フレーム１３における足部側支持脚１７における支柱部１７ｂに対して後方側（足部側）の部位は、把持することが遮断されているため、利用者は、該部位を把持することができない（図１のＢ参照）。
【００３７】
よって、利用者は、支柱部１７ｂに対して、下半身フレーム１３における上記指詰め防止ブレード１１を隔てた前方側（頭部側）部位を把持する（図１のＣ参照）とともに、該部位を軽く持ち上げる。この状態で、もう片方の手で上記位置決め棒２８を引き抜くと、該位置決め棒２８は、軽く引き抜くことができる。これにより、鎖錠が解除されるため、利用者は、フレーム１３を把持したまま、枢着部２１を中心に反時計回りに回転させることができる。  
ここで、万一、位置決め棒２８を抜いた瞬間に一気にフレーム１３が回転運動してしまった場合においても、図８（ａ）に示す場合と異なり、利用者は、下半身フレーム１３と支柱部１７ｂとの間に指を挟まれてしまうことがない。
【００３８】
また、下半身フレーム１３が回転運動している際において、利用者、あるいは、第三者が図４に示すごとく、下半身フレーム１３と支柱部１７ｂとが成す鋭角部位４１に無意識に手（図４のＡ参照）を差し入れようとした場合であっても、上記人体部位遮断部１１ａで遮断することができる。
【００３９】
ここで、万一、上記人体部位遮断部１１ａの端部１１ｄと支柱部１７ｂとの間に指３５を挿入してしまったときであっても（図４のＡ参照）、図５（ａ）に示すごとく、指詰め防止ブレード１１と支柱部１７ｂとの成す角４２が鈍角であるため、押し付け力Ｆ１を小さくすることができる。  
さらに、指詰め防止ブレード１１の端部形状が湾曲形状であるため、外側へ押し出す力Ｆ２が強く作用し、利用者は、指３５を容易に抜くことができできる。  
なお、これに対して例えば、図５（ｂ）に示すごとく、上記人体部位遮断部１１ａの端部１１ｆの形状を直線状に形成した場合は、指を押し付ける力Ｆ１´がより作用し、外側へ押し出す力Ｆ２´も小さいため、このような作用効果は得ることができないことが容易に分かる。
【００４０】
また、図６（ａ）、（ｂ）に示すごとく、下半身フレーム１３を略９０°、足部側支持脚１７に対して回転運動させると、フレーム１２、１３を起立させて折畳みベッド１０を折り畳むことができる。
【００４１】
次に、今度は、上述とは逆に、折畳みベッド１０を折り畳んだ状態からベッド状態へ変換操作する場合について着目する。
【００４２】
仮に指詰め防止ブレード１１を下半身フレーム１３に取り付けていない場合、倒伏操作の際、利用者が下半身フレーム１３における枢着部２１に対してすぐ上方部位６１を把持したまま倒伏すれば、利用者は、下半身フレーム１３と支柱部１７ｂの上端部１７ｄとの間に指詰めしてしまう（図８（ｂ）参照）。  
しかし、図６（ｂ）に示すごとく、指詰め防止ブレード１１で上記部位６１を遮断しているため、利用者は、該部位６１の下半身フレーム１３を把持せずに、指詰め防止ブレード１１を隔ててさらに上方の部位６２を無意識に把持するため、安全である。
【００４３】
また、他の指詰め防止ブレードの形態として、図７に示すごとく、指詰め防止ブレードにリブを形成してもよい。  
具体的には、図７（ａ）、（ｂ）に示すごとく、指詰め防止ブレード７１を下半身フレーム１３に取り付けたとき、上記指詰め防止ブレード７１の上記人体部位遮断部７１ａにおけるベッドの内向側の面を長手方向に略４等分割する３部位に凸状のリブ７１ｅを構成している。
【００４４】
上記指詰め防止ブレード７１は、下半身フレーム１３と足部側支持脚１７との幅方向の隙間に取り付け可能とすべく、厚みを薄く（例えば、１ｍｍから４ｍｍ程度の厚さに）形成しているが、上記構成を採れば、利用者の手が人体部位遮断部７１ａに接触しても、破損することもなく、確実に手の差し込みを防ぐことができる。
【００４５】
さらに、図７（ｃ）、（ｄ）に示すごとく、指詰め防止ブレード７２を断面視Ｌ形に形成して下半身フレーム１３の下面部に取り付けてもよい。上記指詰め防止ブレード７２の場合も、リブ２ｅを形成してもよい。また、取り付けは、螺合により取り付ける、あるいは、接着剤で接着する等、一意に限定しない。
【００４６】
加えて、図７（ｅ）、（ｆ）ゴム等の弾性部材で形成した指詰め防止ブレード７３を下半身フレーム１３の下面に固着する、あるいは、図７（ｇ）、（ｈ）に示すごとく、例えば、アクリル板７４ｆとゴム部材７４ｇ等の別部材を熱溶着して形成してもよい。
【００４７】
このように、人体部位遮断部７３ａ、７４ａを弾性部材で形成することで、万一、指が該人体部位遮断部７３ａ、７４ａと支柱部１７ｂとの間で挟入した場合であっても、その衝撃を和らげることができる。
【００４８】
上述の実施形態と、この発明の構成との対応において、この実施形態の指詰め防止ブレード１１は、この発明の人体部位挟入防止部材に対応し、
以下、同様に、
上半身フレーム１２、又は／及び、下半身フレーム１３は、枠部材に対応し、
足部側支持脚１７は、脚体に対応するも、
この発明は、上述の実施形態の構成のみに限定されるものではなく、多くの実施の形態を得ることができる。
【図面の簡単な説明】
【００４９】
【図１】本発明の折畳みベッドの平面図（ａ）、図１（ａ）におけるＡＡ断面図（ｂ）。
【図２】図２（ｂ）におけるＡＡ断面図（ａ）、図１（ｂ）における要部拡大図（ｂ）。
【図３】本発明の指詰め防止ブレードの正面図。
【図４】本発明の折畳みベッドの折畳み操作の一過程を要部を拡大して表した状態図。
【図５】図４（ａ）における要部を表した拡大図（ａ）、他の指詰め防止ブレードを用いた場合の図４（ａ）における要部を表した拡大図（ｂ）。
【図６】本発明の折畳みベッドの折畳み状態における要部を表した側面図（ａ）、本発明の折畳みベッドの折畳み状態における要部を表した正面図（ｂ）。
【図７】本発明の他の指詰め防止ブレードを表した正面図（ａ）、図７（ａ）の側面図（ｂ）、さらに他の本発明の指詰め防止ブレードを表した正面図（ｃ）、図７（ｃ）の側面図（ｄ）、他の手段の本発明の指詰め防止ブレードを表した正面図（ｅ）、図７（ｅ）の側面図（ｆ）、手段の他の本発明の指詰め防止ブレードを表した正面図（ｇ）図７（ｇ）の側面図（ｈ）。
【図８】折畳みベッドの起立操作時における要部を拡大して表した状態図（ａ）、折畳みベッドの倒伏操作時における要部を拡大して表した状態図（ｂ）。
【符号の説明】
【００５０】
１０…折畳みベッド
１１、７１、７２、７３、７４…指詰め防止ブレード
１２…上半身フレーム
１３…下半身フレーム
１７…足部側支持脚
７１ｅ、７２ｅ…リブ
【図１】
2005080767.tif 000003
【図２】
2005080767.tif 000004
【図３】
2005080767.tif 000005
【図４】
2005080767.tif 000006
【図５】
2005080767.tif 000007
【図６】
2005080767.tif 000008
【図７】
2005080767.tif 000009
【図８】
2005080767.tif 000010